(57)【要約】      （修正有）【課題】容器を容易に展開状態にすることができる紙製容器を提供する。【解決手段】底面部１０と、底面部の各辺から立設した側面部１２，１４，１６，１８と、側面部の隣り合う側縁部間に連接された折込み片部２０，３０，４０，５０と、折込み片部から連接された接続片部２６，３６，４６，５６と、蓋フラップ６０，６２，６４，６６とを有する。蓋フラップに設けられる分離部６０ａ，６０ｂ、６４ａ，６４ｂに、接続片部が接着される。蓋フラップのミシン目Ｊを破断すると、紙製容器が展開状態になる。【選択図】図２
0003160632.tif 000002
【実用新案登録請求の範囲】
【請求項１】
紙製容器であって、
該紙製容器が１枚のブランクにより形成され、
底面部と、
該底面部の周囲から折れ線を介して立ち上がる複数の側面部と、
側面部の上端から折れ線を介して連設された蓋フラップで、接続片部が接着する蓋フラップについては、一対のループ状の切断予定線を形成することにより区画された分離部が設けられた蓋フラップと、
側面部の隣り合う側縁部間に連設された折込み片部で、底面部の角部から伸びる折れ線を介して一対の個別折込み片部に区画された折込み片部と、
折込み片部を構成する一対の個別折込み片部の一方の個別折込み片部の上端から折れ線を介して連設された接続片部と、
を有し、
折込み片部を折れ線を介して折曲して個別折込み片部同士を重ねた状態とし、一対の個別折込み片部において接続片部が連設された個別折込み片部が他の個別折込み片部よりも外側となり、個別折込み片部と接続片部間の折れ線が、接続片部が接着された蓋フラップと側面部間の折れ線に沿うように、接続片部を蓋フラップにおける分離部の外側の面に接着させることにより、折込み片部が側面部の外側の面に沿って設けられ、
接続片部に接着された分離部を構成する切断予定線を破断することにより、紙製容器が展開状態になることを特徴とする紙製容器。
【請求項２】
紙製容器であって、
該紙製容器が１枚のブランクにより形成され、
底面部と、
該底面部の四方から折れ線を介して立ち上がる側面部と、
相対する側面部の上端から折れ線を介して連設された第１蓋フラップで、一対のループ状の切断予定線を形成することにより区画された分離部を有する第１蓋フラップと、
上記相対する側面部とは異なる他の相対する側面部の上端から折れ線を介して連設された第２蓋フラップで、互いに係止することにより係着可能な第２蓋フラップと、
側面部の隣り合う側縁部間に連設された折込み片部で、底面部の角部から伸びる折れ線を介して一対の個別折込み片部に区画された折込み片部と、
折込み片部を構成する一対の個別折込み片部の一方の個別折込み片部の上端から折れ線を介して連設された接続片部と、
を有し、
折込み片部を折れ線を介して折曲して個別折込み片部同士を重ねた状態とし、一対の個別折込み片部において接続片部が連設された個別折込み片部が他の個別折込み片部よりも外側となり、個別折込み片部と接続片部間の折れ線が、接続片部が接着された第１蓋フラップと側面部間の折れ線に沿うように、接続片部を第１蓋フラップにおける分離部の外側の面に接着させることにより、折込み片部が側面部の外側の面に沿って設けられ、
接続片部に接着された分離部を構成する切断予定線を破断することにより、紙製容器が展開状態になることを特徴とする紙製容器。
【請求項３】
接続片部における個別折込み片部が連設された辺部以外の辺部から連設された片部である突出片部が設けられ、突出片部を引っぱることにより接続片部に接着された分離部を構成する切断予定線を破断可能であることを特徴とする請求項２に記載の紙製容器。
【請求項４】
底面部が六角形を呈し、分離部が形成された蓋フラップに連設された側面部である対象側面部が底面部における隣接する２つの辺部から折れ線を介して連設され、該対象側面部は、該隣接する２つの辺部の接点から伸びた折れ線を介して折曲可能に形成されていることを特徴とする請求項２又は３に記載の紙製容器。
【請求項５】
側面部が底面部側から上方にいくほど幅広となるテーパ状を呈することを特徴とする請求項１又は２又は３又は４に記載の紙製容器。
【請求項６】
一対の個別折込み片部において内側となる上記他の個別折込み片部の上端が、個別折込み片部が連設されている側面部の上端近くに形成されていることを特徴とする請求項１又は２又は３又は４又は５に記載の紙製容器。
【考案の詳細な説明】
【技術分野】
【０００１】
本考案は、紙製容器に関するものであり、特に、食品を入れるのに適した紙製容器に関するものである。
【背景技術】
【０００２】
従来、紙製容器として、特許文献１に示すように、方形状の底面部と、底面部の各辺から立設した側面部と、側面部の隣り合う側縁部間に連設された折込み片部と、折込み片部から連設された接続片部と、蓋フラップとを有し、接続片部は蓋フラップに接着され、折込み片部を構成する内側の個別折込み片部が側面部に接着されたものが存在する。
【先行技術文献】
【特許文献】
【０００３】
【特許文献１】登録実用新案第３１３１８２３号公報
【考案の概要】
【考案が解決しようとする課題】
【０００４】
しかし、特許文献１に記載の紙製容器においては、接続片部が蓋フラップに接着されているとともに、個別折込み片部が側面部に接着されているので、容器を容易に展開状態にすることができず、被収納物を取り出す場合には、容器の上方から取り出さなければならず、不定形の食品を取り出す場合には、取出しにくいという問題があった。
【０００５】
そこで、本考案が解決しようとする問題点は、方形状の底面部と、底面部の各辺から立設した側面部と、側面部の隣り合う側縁部間に連設された折込み片部と、折込み片部から連設された接続片部と、蓋フラップとを有し、接続片部が蓋フラップに接着されている紙製容器において、容器を容易に展開状態にすることができる紙製容器を提供することである。
【課題を解決するための手段】
【０００６】
本考案は上記問題点を解決するために創作されたものであって、第１には、紙製容器であって、該紙製容器が１枚のブランクにより形成され、底面部と、該底面部の周囲から折れ線を介して立ち上がる複数の側面部と、側面部の上端から折れ線を介して連設された蓋フラップで、接続片部が接着する蓋フラップについては、一対のループ状の切断予定線を形成することにより区画された分離部が設けられた蓋フラップと、側面部の隣り合う側縁部間に連設された折込み片部で、底面部の角部から伸びる折れ線を介して一対の個別折込み片部に区画された折込み片部と、折込み片部を構成する一対の個別折込み片部の一方の個別折込み片部の上端から折れ線を介して連設された接続片部と、を有し、折込み片部を折れ線を介して折曲して個別折込み片部同士を重ねた状態とし、一対の個別折込み片部において接続片部が連設された個別折込み片部が他の個別折込み片部よりも外側となり、個別折込み片部と接続片部間の折れ線が、接続片部が接着された蓋フラップと側面部間の折れ線に沿うように、接続片部を蓋フラップにおける分離部の外側の面に接着させることにより、折込み片部が側面部の外側の面に沿って設けられ、接続片部に接着された分離部を構成する切断予定線を破断することにより、紙製容器が展開状態になることを特徴とする。
【０００７】
この第１の構成の紙製容器においては、底面部と側面部により囲まれた空間内に被収納物を収納して使用する。この紙製容器によれば、接続片部が分離部に接着されていて、接続片部に接着された分離部を構成する切断予定線を破断することにより、紙製容器が展開状態になるので、紙製容器を容易に展開状態にすることができる。
【０００８】
また、第２には、紙製容器であって、該紙製容器が１枚のブランクにより形成され、底面部と、該底面部の四方から折れ線を介して立ち上がる側面部と、相対する側面部の上端から折れ線を介して連設された第１蓋フラップで、一対のループ状の切断予定線を形成することにより区画された分離部を有する第１蓋フラップと、上記相対する側面部とは異なる他の相対する側面部の上端から折れ線を介して連設された第２蓋フラップで、互いに係止することにより係着可能な第２蓋フラップと、側面部の隣り合う側縁部間に連設された折込み片部で、底面部の角部から伸びる折れ線を介して一対の個別折込み片部に区画された折込み片部と、折込み片部を構成する一対の個別折込み片部の一方の個別折込み片部の上端から折れ線を介して連設された接続片部と、を有し、折込み片部を折れ線を介して折曲して個別折込み片部同士を重ねた状態とし、一対の個別折込み片部において接続片部が連設された個別折込み片部が他の個別折込み片部よりも外側となり、個別折込み片部と接続片部間の折れ線が、接続片部が接着された第１蓋フラップと側面部間の折れ線に沿うように、接続片部を第１蓋フラップにおける分離部の外側の面に接着させることにより、折込み片部が側面部の外側の面に沿って設けられ、接続片部に接着された分離部を構成する切断予定線を破断することにより、紙製容器が展開状態になることを特徴とする。
【０００９】
この第２の構成の紙製容器においては、底面部と側面部により囲まれた空間内に被収納物を収納して使用する。この紙製容器によれば、接続片部が分離部に接着されていて、接続片部に接着された分離部を構成する切断予定線を破断することにより、紙製容器が展開状態になるので、紙製容器を容易に展開状態にすることができる。
【００１０】
また、第３には、上記第２の構成において、接続片部における個別折込み片部が連設された辺部以外の辺部から連設された片部である突出片部が設けられ、突出片部を引っぱることにより接続片部に接着された分離部を構成する切断予定線を破断可能であることを特徴とする。よって、突出片部を引っぱることにより、容易に切断予定線を破断することができる。
【００１１】
また、第４には、上記第２又は第３の構成において、底面部が六角形を呈し、分離部が形成された蓋フラップに連設された側面部である対象側面部が底面部における隣接する２つの辺部から折れ線を介して連設され、該対象側面部は、該隣接する２つの辺部の接点から伸びた折れ線を介して折曲可能に形成されていることを特徴とする。よって、対象側面部が閉じようとするのを防ぐことができ、容器の開状態を保つことができる。
【００１２】
また、第５には、上記第１から第４までのいずれかの構成において、側面部が底面部側から上方にいくほど幅広となるテーパ状を呈することを特徴とする。
【００１３】
また、第６には、上記第１から第５までのいずれかの構成において、一対の個別折込み片部において内側となる上記他の個別折込み片部の上端が、個別折込み片部が連設されている側面部の上端近くに形成されていることを特徴とする。よって、容器を傾けた場合でも、液体が内側の個別折込み片部の上端を超えるおそれを小さくでき、側面部と内側の個別折込み片部間の隙間から液体が外部に漏れてしまうおそれを小さくすることができる。
【考案の効果】
【００１４】
本考案に基づく紙製容器によれば、接続片部が分離部に接着されていて、接続片部に接着された分離部を構成する切断予定線を破断することにより、紙製容器が展開状態になるので、紙製容器を容易に展開状態にすることができる。
【図面の簡単な説明】
【００１５】
【図１】紙製容器を示す斜視図である。
【図２】紙製容器の展開図である。
【図３】図１のＡ−Ａ線における要部断面図である。
【図４】紙製容器の蓋フラップを開状態にした状態を示す斜視図である。
【図５】紙製容器の使用状態を示す平面図である。
【考案を実施するための形態】
【００１６】
本考案においては、方形状の底面部と、底面部の各辺から立設した側面部と、側面部の隣り合う側縁部間に連設された折込み片部と、折込み片部から連設された接続片部と、蓋フラップとを有し、接続片部が蓋フラップに接着されている紙製容器において、容器を容易に展開状態にすることができる紙製容器を提供するという目的を以下のようにして実現した。
【００１７】
本考案に基づく紙製容器５は、図１〜図３に示すように構成され、１枚のシート状部材（具体的には、シート状の紙材）により形成されたブランク（図２参照）の要所を折り曲げ、組み立てることにより形成されたものであり、底面部１０と、側面部１２と、側面部１４と、側面部１６と、側面部１８と、折込み片部２０と、接続片部２６と、折込み片部３０と、接続片部３６と、折込み片部４０と、接続片部４６と、折込み片部５０と、接続片部５６と、蓋フラップ６０（第１蓋フラップ）と、蓋フラップ６２（第２蓋フラップ）と、蓋フラップ６４（第１蓋フラップ）と、蓋フラップ６６（第２蓋フラップ）とを有している。
【００１８】
また、折込み片部２０、３０、４０、５０は、隣接する側面部の隣り合う側縁部間に連設されていて、底面部１０の角部から伸びる折れ線を介して一対の個別折込み片部に区画されている。すなわち、折込み片部２０は、個別折込み片部２２と、個別折込み片部２４とを有し、折込み片部３０は、個別折込み片部３２と、個別折込み片部３４とを有し、折込み片部４０は、個別折込み片部４２と、個別折込み片部４４とを有し、折込み片部５０は、個別折込み片部５２と、個別折込み片部５４とを有している。
【００１９】
なお、図２において、一点鎖線は谷折り線を示し、二点鎖線は山折り線を示し、実線は、外形線又は切込みを示している。
【００２０】
ここで、底面部１０は、六角形状の板状を呈し、互いに平行（略平行としてもよい）な辺部Ｓａ、Ｓｂと、互いに平行（略平行としてもよい）な辺部Ｓｃ、Ｓｆと、互いに平行（略平行としてもよい）な辺部Ｓｄ、Ｓｅとにより構成され、辺部Ｓｃと辺部Ｓｄは線対称に形成され、辺部Ｓｅと辺部Ｓｆは線対称に形成され、辺部Ｓｃと辺部Ｓｅとは線対称に形成され、辺部Ｓｄと辺部Ｓｆとは線対称に形成されている。つまり、方形状の形状に対して、辺部Ｓｃ、Ｓｄとで外側に突出し、辺部Ｓｅ、Ｓｆとで反対側の外側に突出している。辺部Ｓｃ、Ｓｄが背面側の辺部となり、辺部Ｓｅ、Ｓｆが正面側の辺部となり、辺部Ｓｂが右側面側の辺部となり、辺部Ｓａが左側面側の辺部となる。
【００２１】
また、側面部１２〜１８は、底面部１０の各辺から折れ線を介して立ち上がるように構成されている。すなわち、側面部１２は、底面部１０の背面側の辺部Ｓｃ、Ｓｄから折れ線を介して連設され、側面部１４は、底面部１０の左側面側の辺部Ｓａから折れ線を介して連設され、側面部１６は、底面部１０の正面側の辺部Ｓｅ、Ｓｆから折れ線を介して連設され、側面部１８は、底面部１０の右側面側の辺部Ｓｂから折れ線を介して連設されている。側面部１４と側面部１８は、底面部１０側から反対側に向けて幅広となる台形形状の板状を呈し、側面部１２と側面部１６は、底面部１０側から反対側に向けて幅広となる略台形形状の板状を呈し、側面部１２は底面部１０側が辺部Ｓｃ、Ｓｄにより三角形状に切り欠かれた形状となり、側面部１６は底面部１０側が辺部Ｓｅ、Ｓｆにより三角形状に切り欠かれた形状となっている。側面部１２と側面部１４と側面部１６と側面部１８とは、ともに台形形状の板状を呈している。つまり、側面部１２〜１８は、底面部１０側から上方にいくほど幅広となるテーパ状を呈している。側面部１２と側面部１６は、同大同形状に形成され、側面部１４と側面部１８は、同大同形状に形成されている。なお、側面部１２、１６が「分離部が形成された蓋フラップに連設された側面部である対象側面部」となる。
【００２２】
また、折込み片部２０は、側面部１２と側面部１４との間に設けられ、全体には、略扇状の上端に略三角形状の切欠きＫ１を形成した形状となっている。個別折込み片部２２は、側面部１４の側端から折れ線を介して連設され、略扇状を呈している。また、個別折込み片部２４は、側面部１２の側端から折れ線を介して連設され、略扇状を呈している。個別折込み片部２２と個別折込み片部２４とは、底面部１０の角部と切欠きＫ１の角部との間に設けられた折れ線Ｓ１を介して連設されている。個別折込み片部２２は、側面部１４の上端にまで伸びているが、個別折込み片部２４は、側面部１２の上端近くにまで形成されていて、側面部１２の上端の一部（具体的には、幅Ｈ１）を余して形成されている（図２参照）。紙製容器５の組立て状態においては、折込み片部２０が折れ線Ｓ１を介して折曲されて個別折込み片部２２と個別折込み片部２４とが互いに重ねた状態となり、個別折込み片部２２が個別折込み片部２４の外側となっている。これにより、折込み片部２０が側面部１２の外側の面に沿って設けられている。なお、個別折込み片部２４は、側面部１２の外側の面には接着されていない。
【００２３】
また、接続片部２６は、個別折込み片部２２の上端から折れ線を介して連設され、略方形状を呈している。なお、接続片部２６の基端から先端までの長さＮ１は、蓋フラップ６０からはみ出さないように、蓋フラップ６０の基端から先端までの長さＭ１以下の長さとなっている。紙製容器５の組立て状態においては、接続片部２６は、蓋フラップ６０の外側の面に接着され、具体的には、接続片部２６は、蓋フラップ６０においてミシン目Ｊにより囲まれた領域である分離部６０ａに接着されている。その際、個別折込み片部２２と接続片部２６間の折れ線Ｓ１１が、側面部１２と蓋フラップ６０間の折れ線に沿うように、接続片部２６が蓋フラップ６０に接着されている。
【００２４】
また、接続片部２６の折れ線Ｓ１１に隣接する辺部の一方（具体的には、蓋フラップ６０側の辺部）から折れ線を介して帯状の突出片部２６ａが連設されている。この突出片部２６ａは、接続片部２６を蓋フラップ６０に対して離脱させる際に把持する把手片として機能する。なお、突出片部２６ａは、接続片部２６の反対側の辺部（蓋フラップ６２側の辺部）に形成してもよい。
【００２５】
また、折込み片部３０は、側面部１２と側面部１８との間に設けられ、全体には、略扇状の上端に略三角形状の切欠きＫ２を形成した形状となっている。個別折込み片部３２は、側面部１８の側端から折れ線を介して連設され、略扇状を呈している。また、個別折込み片部３４は、側面部１２の側端から折れ線を介して連設され、略扇状を呈している。個別折込み片部３２と個別折込み片部３４とは、底面部１０の角部と切欠きＫ２の角部との間に設けられた折れ線Ｓ２を介して連設されている。個別折込み片部３２は、側面部１８の上端にまで伸びているが、個別折込み片部３４は、側面部１２の上端近くにまで形成されていて、側面部１２の上端の一部（具体的には、幅Ｈ２）を余して形成されている。紙製容器５の組立て状態においては、折込み片部３０が折れ線Ｓ２を介して折曲されて個別折込み片部３２と個別折込み片部３４とが互いに重ねた状態となり、個別折込み片部３２が個別折込み片部３４の外側となっている。これにより、折込み片部３０が側面部１２の外側の面に沿って設けられている。なお、個別折込み片部３４は、側面部１２の外側の面には接着されていない。
【００２６】
また、接続片部３６は、個別折込み片部３２の上端から折れ線を介して連設され、略方形状を呈している。なお、接続片部３６の基端から先端までの長さＮ２は、蓋フラップ６０からはみ出さないように、蓋フラップ６０の基端から先端までの長さＭ１以下の長さとなっている。紙製容器５の組立て状態においては、接続片部３６は、蓋フラップ６０の外側の面に接着され、具体的には、接続片部３６は、蓋フラップ６０においてミシン目Ｊにより囲まれた領域である分離部６０ｂに接着されている。その際、個別折込み片部３２と接続片部３６間の折れ線Ｓ１２が、側面部１２と蓋フラップ６０間の折れ線に沿うように、接続片部３６が蓋フラップ６０に接着されている。
【００２７】
また、接続片部３６の折れ線Ｓ１２に隣接する辺部の一方（具体的には、蓋フラップ６０側の辺部）から折れ線を介して帯状の突出片部３６ａが連設されている。この突出片部３６ａは、接続片部３６を蓋フラップ６０に対して離脱させる際に把持する把手片として機能する。なお、突出片部３６ａは、接続片部３６の反対側の辺部（蓋フラップ６６側の辺部）に形成してもよい。
【００２８】
なお、折込み片部３０及び接続片部３６は、図２に示す展開状態においては、折込み片部２０及び接続片部２６と線対称に形成されている。つまり、折込み片部３０及び接続片部３６は、Ｙ１−Ｙ２方向の中心線を介して折込み片部２０及び接続片部２６と線対称に形成されている。
【００２９】
また、折込み片部４０は、側面部１４と側面部１６との間に設けられ、全体には、略扇状の上端に略三角形状の切欠きＫ３を形成した形状となっている。個別折込み片部４２は、側面部１４の側端から折れ線を介して連設され、略扇状を呈している。また、個別折込み片部４４は、側面部１６の側端から折れ線を介して連設され、略扇状を呈している。個別折込み片部４２と個別折込み片部４４とは、底面部１０の角部と切欠きＫ３の角部との間に設けられた折れ線Ｓ３を介して連設されている。個別折込み片部４２は、側面部１４の上端にまで伸びているが、個別折込み片部４４は、側面部１６の上端近くにまで形成されていて、側面部１６の上端の一部（具体的には、幅Ｈ３）を余して形成されている。紙製容器５の組立て状態においては、折込み片部４０が折れ線Ｓ３を介して折曲されて個別折込み片部４２と個別折込み片部４４とが互いに重ねた状態となり、個別折込み片部４２が個別折込み片部４４の外側となっている。これにより、折込み片部４０が側面部１６の外側の面に沿って設けられている。なお、個別折込み片部４４は、側面部１６の外側の面には接着されていない。
【００３０】
また、接続片部４６は、個別折込み片部４２の上端から折れ線を介して連設され、略方形状を呈している。なお、接続片部４６の基端から先端までの長さＮ３は、蓋フラップ６４からはみ出さないように、蓋フラップ６４の基端から先端までの長さＭ２以下の長さとなっている。紙製容器５の組立て状態においては、接続片部４６は、蓋フラップ６４の外側の面に接着され、具体的には、接続片部４６は、蓋フラップ６４においてミシン目Ｊにより囲まれた領域である分離部６４ａに接着されている。その際、個別折込み片部４２と接続片部４６間の折れ線Ｓ１３が、側面部１６と蓋フラップ６４間の折れ線に沿うように、接続片部４６が蓋フラップ６４に接着されている。
【００３１】
また、接続片部４６の折れ線Ｓ１３に隣接する辺部の一方（具体的には、蓋フラップ６４側の辺部）から折れ線を介して帯状の突出片部４６ａが連設されている。この突出片部４６ａは、接続片部４６を蓋フラップ６４に対して離脱させる際に把持する把手片として機能する。なお、突出片部４６ａは、接続片部４６の反対側の辺部（蓋フラップ６２側の辺部）に形成してもよい。
【００３２】
なお、折込み片部４０及び接続片部４６は、図２に示す展開状態においては、折込み片部２０及び接続片部２６と線対称に形成されている。つまり、折込み片部４０及び接続片部４６は、Ｘ１−Ｘ２方向の中心線を介して折込み片部２０及び接続片部２６と線対称に形成されている。
【００３３】
また、折込み片部５０は、側面部１６と側面部１８との間に設けられ、全体には、略扇状の上端に略三角形状の切欠きＫ４を形成した形状となっている。個別折込み片部５２は、側面部１８の側端から折れ線を介して連設され、略扇状を呈している。また、個別折込み片部５４は、側面部１６の側端から折れ線を介して連設され、略扇状を呈している。個別折込み片部５２と個別折込み片部５４とは、底面部１０の角部と切欠きＫ４の角部との間に設けられた折れ線Ｓ４を介して連設されている。個別折込み片部５２は、側面部１８の上端にまで伸びているが、個別折込み片部５４は、側面部１６の上端近くにまで形成されていて、側面部１６の上端の一部（具体的には、幅Ｈ４）を余して形成されている。紙製容器５の組立て状態においては、折込み片部５０が折れ線Ｓ４を介して折曲されて個別折込み片部５２と個別折込み片部５４とが互いに重ねた状態となり、個別折込み片部５２が個別折込み片部５４の外側となっている。これにより、折込み片部５０が側面部１６の外側の面に沿って設けられている。なお、個別折込み片部５４は、側面部１６の外側の面には接着されていない。
【００３４】
また、接続片部５６は、個別折込み片部５２の上端から折れ線を介して連設され、略方形状を呈している。なお、接続片部５６の基端から先端までの長さＮ４は、蓋フラップ６４からはみ出さないように、蓋フラップ６４の基端から先端までの長さＭ２以下の長さとなっている。紙製容器５の組立て状態においては、接続片部５６は、蓋フラップ６４の外側の面に接着されれ、具体的には、接続片部５６は、蓋フラップ６４においてミシン目Ｊにより囲まれた領域である分離部６４ｂに接着されている。その際、個別折込み片部５２と接続片部５６間の折れ線Ｓ１４が、側面部１６と蓋フラップ６４間の折れ線に沿うように、接続片部５６が蓋フラップ６４に接着されている。
【００３５】
また、接続片部５６の折れ線Ｓ１４に隣接する辺部の一方（具体的には、蓋フラップ６４側の辺部）から折れ線を介して帯状の突出片部５６ａが連設されている。この突出片部５６ａは、接続片部５６を蓋フラップ６４に対して離脱させる際に把持する把手片として機能する。なお、突出片部５６ａは、接続片部５６の反対側の辺部（蓋フラップ６６側の辺部）に形成してもよい。
【００３６】
なお、折込み片部５０及び接続片部５６は、図２に示す展開状態においては、折込み片部３０及び接続片部３６と線対称に形成されている。つまり、折込み片部５０及び接続片部５６は、Ｘ１−Ｘ２方向の中心線を介して折込み片部３０及び接続片部３６と線対称に形成されている。
【００３７】
なお、上記の折込み片部２０〜５０と接続片部２６〜５６は、上記のように構成されているので、図２に示す展開状態においては、折込み片部５０及び接続片部５６は、折込み片部２０及び接続片部２６と同大同形状に形成され、折込み片部４０及び接続片部４６は、折込み片部３０及び接続片部３６と同大同形状に形成されているといえる。
【００３８】
また、接続片部２６（３６、４６、５６）と突出片部２６ａ（３６ａ、４６ａ、５６ａ）間の折れ線は、紙製容器５を組み立てた状態では山折りでも谷折りでもないが、後述するように、ミシン目Ｊを破断する際には、外側から見て谷折りとなる（図２においては、山折りとなる）。
【００３９】
また、蓋フラップ６０は、側面部１２の上端から折れ線を介して連設され、略長方形状を呈している。この蓋フラップ６０には、略方形状のループ状のミシン目（切断予定線）Ｊが一対形成されていて、ミシン目Ｊに囲まれた領域が分離部６０ａと分離部６０ｂとなる。また、蓋フラップ６４も蓋フラップ６０と同様に構成され、側面部１６の上端から折れ線を介して連設され、略長方形状を呈している。この蓋フラップ６４には、略方形状のループ状のミシン目（切断予定線）Ｊが一対形成されていて、ミシン目Ｊに囲まれた領域が分離部６４ａと分離部６４ｂとなる。蓋フラップ６０と蓋フラップ６４とは、同大同形状に形成されている。
【００４０】
また、蓋フラップ６２は、略長方形状の先端に略台形状の切欠部を設けた形状を呈している。蓋フラップ６６も蓋フラップ６２と同様に構成され、側面部１８の上端から折れ線を介して連設され、略長方形状の先端に略台形状の切欠部を設けた形状を呈している。蓋フラップ６２と蓋フラップ６６とは、同大同形状に形成され、切欠部同士を係合させることにより、蓋フラップ６２と蓋フラップ６６とが係着されるようになっている。
【００４１】
また、蓋フラップ６０と側面部１２と底面部１０と側面部１６と蓋フラップ６４には、図２における左右方向の中央を縦断する直線状の１本の折れ線Ｓｇが形成されている。
【００４２】
なお、上記構成の紙製容器５を構成するブランクは紙材であり、具体的には、両面段ボール材により構成されている。つまり、紙製容器５は、１枚の両面段ボール材（シート状部材）により形成されたブランク（図２参照）の要所を折り曲げ、組み立てることにより形成されたものである。なお、紙製容器５を構成するブランクの両側の面には、紙製容器が電子レンジでも使用可能なように、耐熱用のコーティングをしておくことが好ましい。
【００４３】
上記構成の紙製容器５の製造方法について説明する。まず、紙材（具体的には、段ボール材）を用いて、図２に示す展開状態のブランクを形成する。つまり、図２に示す外形を有し、折れ線部分に罫線が形成されたブランクを形成する。
【００４４】
その後、蓋フラップ６０の分離部６０ａ、６０ｂの領域（外側の領域）と、蓋フラップ６４の分離部６４ａ、６４ｂの領域（外側の領域）に接着剤を塗布する。なお、接続片部２６、３６、４６、５６における分離部６０ａ、６０ｂ、６４ａ、６４ｂが接着する領域に接着剤を塗布してもよい。
【００４５】
その後、展開状態のブランクを折れ線に沿って折り曲げて、接続片部を蓋フラップに接着させる。つまり、接続片部２６を分離部６０ａに接着させ、接続片部３６を分離部６０ｂに接着させ、接続片部４６を分離部６４ａに接着させ、接続片部５６を分離部６４ａに接着させる。以上のようにして、紙製容器５が形成される。
【００４６】
なお、各折込み片部において、外側の個別折込み片部（２２、３２、４２、５２）と内側の個別折込み片部（２４、３４、４４、５４）間は接着されていない。例えば、個別折込み片部２２（外側の個別折込み片部）と個別折込み片部２４（内側の個別折込み片部）間は接着されておらず、個別折込み片部２２と個別折込み片部２４の間には接着材は塗布されていない。これは、外側の個別折込み片部と内側の個別折込み片部間の空間は、容器の収納空間と連通しているため、容器内部に収納された食品に高温の液体が含まれている場合に、該液体と接着材とが接触して、接着材が液体に溶けてしまう可能性を防止するためである。
【００４７】
また、側面部１２と側面部１６とは、折れ線Ｓｇを介して外側に折れ曲がった状態となっている。
【００４８】
上記の構成の紙製容器５の使用状態としては、容器内に被収納物を収納して使用するが、主として、食品を収納して使用する。食品を収納しておく状態では、蓋フラップ６０と蓋フラップ６４とを閉じた状態で、蓋フラップ６２と蓋フラップ６６とを係着させて、容器を閉状態とする。
【００４９】
なお、紙製容器５内に食品を入れて、蓋フラップ６２と蓋フラップ６６とを係着させて容器を閉状態とし、電子レンジにより加熱して使用してもよい。なお、食品を加熱するだけでなく、未調理の食品を容器に収納して、電子レンジにより調理を行うようにしてもよい。
【００５０】
一方、食品を食べる際など容器を開状態とする場合には、蓋フラップ６２と蓋フラップ６６の係着を解除して蓋フラップ６２と蓋フラップ６６を外側に回動させるとともに、蓋フラップ６０と蓋フラップ６４も外側に回動させて図４に示す状態として、食品を取り出す。
【００５１】
また、不定形の食品のように図４の状態では取り出しにくい場合には、蓋フラップ６０、６４のミシン目Ｊを破断して、紙製容器５を展開状態とする。つまり、突出片部２６ａを手前に引っ張ることにより、ミシン目Ｊが破断して接続片部２６に接着された分離部６０ａが蓋フラップ６０から分離し、突出片部３６ａを手前に引っ張ることにより、ミシン目Ｊが破断して接続片部３６に接着された分離部６０ｂが蓋フラップ６０から分離し、突出片部４６ａを手前に引っ張ることにより、ミシン目Ｊが破断して接続片部４６に接着された分離部６４ａが蓋フラップ６４から分離し、突出片部５６ａを手前に引っ張ることにより、ミシン目Ｊが破断して接続片部５６に接着された分離部６４ｂが蓋フラップ６４から分離するので、図５に示すように、展開状態にすることができる。なお、図５の状態では、分離部６０ａ（６０ｂ、６４ａ、６４ｂ）は、接続片部２６（３６、４６、５６）に接着されているので、蓋フラップ６０、６４における分離部があった箇所には、開口部Ｗが形成されている。これにより、紙製容器５をトレーのように使用して、図５の状態で食品を食べることができる。なお、図５は、米を使った料理を載せた状態を示している。
【００５２】
上記構成の紙製容器５によれば、接続片部２６、３６を蓋フラップ６０から容易に分離させることができ、接続片部４６、５６を蓋フラップ６４から容易に分離させることができるので、容易に展開状態にすることができる。なお、個別折込み片部２４、３４は、側面部１２の外側の面には接着されておらず、個別折込み片部４４、５４は、側面部１６の外側の面には接着されていないので、紙製容器５を展開状態にする際の支障となることがない。また、特に、突出片部２６ａ、３６ａ、４６ａ、５６ａが設けられているので、これらの突出片部を引っぱることにより、容易にミシン目Ｊを破断することができる。
【００５３】
また、上記構成の紙製容器５によれば、接続片部２６、３６、４６、５６が蓋フラップに接着して設けられているので、蓋フラップに連設された側面部１２、１６が閉じようとするのを防ぐことができ、これにより、容器の開状態を保つことができる。特に、接続片部２６、３６、４６、５６は、蓋フラップに接着されていることから、接続片部２６、３６、４６、５６の接着領域を大きく確保することができ、接続片部と蓋フラップとの接着が外れるおそれを小さくでき、これによっても、容器の開状態を保つことができる。また、底面部１０が六角形状に形成されていて、側面部１２と側面部１６とは、折れ線Ｓｇを介して外側に折曲しているので、これによっても、側面部１２、１６が閉じようとするのを防ぐことができ、容器の開状態を保つことができる。
【００５４】
また、接続片部２６、３６、４６、５６が蓋フラップに接着して設けられているので、外側の個別折込み片部２２、３２、４２、５２を側面部に接着する必要がなく、外側の個別折込み片部の上端に側面部との接着領域を設ける必要がないので、よって、内側の個別折込み片部を側面部の上端近くにまで設けることができる。つまり、図２における幅Ｈ１、Ｈ２、Ｈ３、Ｈ４を小さくすることができる。よって、容器を傾けた場合でも、液体が内側の個別折込み片部の上端を超えるおそれを小さくでき、さらには、内側の個別折込み片部は側面部に接着されているので、よって、側面部と内側の個別折込み片部間の隙間から液体が外部に漏れてしまうおそれを小さくすることができる。
【００５５】
また、上記構成の紙製容器５においては、接続片部を蓋フラップに接着させればよく、特に、側面部と接続片部間の折れ線を側面部と蓋フラップ間の折れ線に合わせて接着させればよいので、折込み片部の側面部への接着位置も上下方向にずれる貼りずれを防止することができる。また、内側の個別折込み片部の上側に接続片部が設けられるので、内側の個別折込み片部の上端を側面部の上端近くに形成しても、内側の個別折込み片部が外側の個別折込み片部の上端から突出することがない。
【００５６】
また、側面部と接続片部間の折れ線を側面部と蓋フラップ間の折れ線に合わせて接着させることにより、外側の個別折込み片部を内側の個別折込み片部に密着させることができ、被収納物が外側の個別折込み片部と内側の個別折込み片部間に入り込むのを防止することができる。
【００５７】
また、紙製容器５は、両面段ボールにより形成されているので、保温機能を得ることができ、紙製容器５内の食品の保温を行なうことができる。
【００５８】
なお、上記の説明においては、内側の個別折込み片部２４、３４、４４、５４は、側面部の上端近くにまで形成されているとしたが、外側の個別折込み片部２２、３２、４２、５２と同様に、側面部の上端にまで形成されているものとしてもよい。
【００５９】
また、接続片部２６、３６、４６、５６は、略方形状であるとしたが、他の形状でもよい。また、底面部１０は六角形状であるとしたが、方形状としてもよい。
【００６０】
また、上記の説明では、紙製容器５においては、底面部が方形状を呈し、４つの側面部が底面部の各辺から立設しているものとして説明したが、底面部がｎ角形（ｎは３以上で４以外の整数）で、底面部の各辺から側面部が立設したものとしてもよい。その場合にも、側面部の隣り合う側縁部間に折込み片部が連設され、底面部の角部から伸びる折れ線を介して一対の個別折込み片部に区画され、一対の個別折込み片部における一方の個別折込み片部の上端から折れ線を介して接続片部が設けられ、折込み片部を折れ線を介して折曲して個別折込み片部同士を重ねた状態とし、一対の個別折込み片部において接続片部が連設された個別折込み片部が他の個別折込み片部よりも外側となり、個別折込み片部と接続片部間の折れ線が、接続片部が接着された蓋フラップと側面部間の折れ線に沿うように、接続片部を蓋フラップの外側の面に接着させることにより、折込み片部を側面部の外側の面に沿って設けた構成とする。
【符号の説明】
【００６１】
５ 紙製容器
１０ 底面部
１２、１４、１６、１８ 側面部
２０、３０、４０、５０ 折込み片部
２２、２４、３２、３４、４２、４４、５２、５４ 個別折込み片部
２６、３６、４６、５６ 接続片部
２６ａ、３６ａ、４６ａ、５６ａ  突出片部
６０、６２、６４、６６ 蓋フラップ
６０ａ、６０ｂ、６４ａ、６４ｂ  分離部
【図１】
0003160632.tif 000003
【図２】
0003160632.tif 000004
【図３】
0003160632.tif 000005
【図４】
0003160632.tif 000006
【図５】
0003160632.tif 000007